(57)【要約】【課題】部品点数の増加を抑制しながら、建物内への雨水の吹き込みを阻止することができる建物の止水構造を提供する。【解決手段】建物１０には、外壁面材２９と、その外壁面材２９を下方から支持する壁支持部材３３と、外壁面材２９の下方に設けられた水切部材４５とを備える。壁支持部材３３は、外壁面材２９の幅方向に沿って長尺状に形成されており、外壁面材２９の下端面が載置される横板部３３ａと当該外壁面材２９の裏面と対向する縦板部３３ｂとを有するＬ字状をなしている。壁支持部材３３と外壁面材２９との間には、外壁面材２９の幅方向に沿った長尺状をなす止水役物４０が挟み込まれて設けられている。止水役物４０は、水切部材４５を取り付けるための下側縦板部４０ｃを有している。【選択図】      図１
2015094142.tif 000002
【特許請求の範囲】
【請求項１】
外壁面材と、
その外壁面材を下方から支持する壁支持部材と、
前記外壁面材の下方に設けられた水切部材とを備え、
前記壁支持部材は、前記外壁面材の幅方向に沿って長尺状に形成され、前記外壁面材の下端面が載置される横板部と当該外壁面材の裏面と対向する縦板部とを有するＬ字状をなしている建物に適用され、
前記外壁面材の幅方向に沿って長尺状に形成され、前記壁支持部材と前記外壁面材との間に挟み込まれて設けられた止水部材を備え、
前記止水部材は、前記水切部材を取り付けるための水切取付部を有していることを特徴とする建物の止水構造。
【請求項２】
前記壁支持部材は、前記Ｌ字状に屈曲された金属板により形成されており、
前記止水部材は、前記横板部と前記外壁面材の下端面との間に挟み込まれる止水横板部と、前記縦板部と前記外壁面材の裏面との間に挟み込まれる止水縦板部とを有し、前記壁支持部材よりも厚みの小さい金属板により屈曲形成されていることを特徴とする請求項１に記載の建物の止水構造。
【請求項３】
前記外壁面材は、上下に延びる複数の中空部を有しており、
前記止水部材は、前記横板部と前記外壁面材の下端面との間に挟み込まれる止水横板部と、前記横板部よりも屋外側で前記止水横板部から下方に延びる前記水切取付部とを有しており、
前記止水横板部は、その屋外側の端部が前記外壁面材の厚み方向において前記中空部の中間部と同位置に位置していることを特徴とする請求項１又は２に記載の建物の止水構造。
【請求項４】
前記水切取付部は、前記止水部材の長手方向に沿って延びており、
前記水切部材は、
前記水切取付部の屋外側に当該水切取付部の長手方向に沿って所定の間隔で取り付けられた複数のブラケットと、
それらブラケットに跨がる長尺状をなし、各ブラケットに対して着脱可能に取り付けられた水切本体とを有して構成され、
前記水切本体は、前記水切取付部から屋外側に離間した位置で前記ブラケットに取り付けられることを特徴とする請求項３に記載の建物の止水構造。
【請求項５】
前記外壁面材は、上下方向に延びる複数の中空部を有しており、
前記水切部材は、前記中空部の下方に設けられ、当該水切部材の下面を形成する下面板部を有しており、
前記下面板部には、前記中空部から流下した水を当該下面板部の下方へ導く排水孔が形成されていることを特徴とする請求項１乃至４のいずれか一項に記載の建物の止水構造。
【請求項６】
基礎の上には、前記壁支持部材を下方から支持する基礎上部材が設けられており、
前記止水部材は、前記横板部と前記外壁面材の下端面との間に挟み込まれる止水横板部と、前記横板部よりも屋外側で前記止水横板部から下方に延びる前記水切取付部とを有しており、
前記水切取付部は、前記基礎上部材に対して屋外側から当接した状態で配置されていることを特徴とする請求項１乃至５のいずれか一項に記載の建物の止水構造。
【発明の詳細な説明】
【技術分野】
【０００１】
本発明は、建物の止水構造に関する。
【背景技術】
【０００２】
住宅等の建物では、外壁面材の下方に水切部材が設けられている（例えば特許文献１参照）。水切部材は、外壁面材を伝って流下する水を基礎よりも屋外側に導くものであり、例えば外壁下に設けられる取付金具等に取り付けられる。
【０００３】
また、外壁面材は、例えば内部に中空部を有した重厚外壁により構成される。重厚外壁では、その厚みが大きいため自立可能とされていることが多い。そのため、重厚外壁では、Ｌ字型の鋼板よりなる壁支持部材によって外壁を下方から支持する支持構造が用いられることがある。この場合、壁支持部材は、外壁の下端面が載置される横板部と、外壁の裏面に対向する縦板部とを有し、例えば縦板部に対して外壁面材が固定される。また、壁支持部材は、十分な支持強度を確保すべく、厚みの大きい鋼板により形成されることが多い。
【先行技術文献】
【特許文献】
【０００４】
【特許文献１】特開２０１２−１４９４０５号公報
【発明の概要】
【発明が解決しようとする課題】
【０００５】
ところで、壁支持部材の厚みが大きいと、その分壁支持部材の曲げ部（Ｌ字曲げ部）の半径（曲げ半径）が大きくなると考えられる。そのため、壁支持部材の横板部上に重厚外壁を載置した場合に、重厚外壁の裏面下端の角部が曲げ部の上に載っかることが想定される。その場合、重厚外壁の下端面と横板部の上面との間、又は重厚外壁の裏面と縦板部の前面との間に隙間が発生するおそれがある。そうすると、屋外において強風を伴う降雨があった場合に、雨水がその隙間を通じて建物内へ吹き込むことが懸念される。
【０００６】
そこで、かかる雨水の吹き込みを防止するために、止水部材を設けることが考えられるが、そうするとその分部品点数が増加し、コストの増大や施工工数の増大を招いてしまうおそれがある。
【０００７】
本発明は、上記事情に鑑みてなされたものであり、部品点数の増加を抑制しながら、建物内への雨水の吹き込みを阻止することができる建物の止水構造を提供することを主たる目的とするものである。
【課題を解決するための手段】
【０００８】
上記課題を解決すべく、第１の発明の建物の止水構造は、外壁面材と、その外壁面材を下方から支持する壁支持部材と、前記外壁面材の下方に設けられた水切部材とを備え、前記壁支持部材は、前記外壁面材の幅方向に沿って長尺状に形成され、前記外壁面材の下端面が載置される横板部と当該外壁面材の裏面と対向する縦板部とを有するＬ字状をなしている建物に適用され、前記外壁面材の幅方向に沿って長尺状に形成され、前記壁支持部材と前記外壁面材との間に挟み込まれて設けられた止水部材を備え、前記止水部材は、前記水切部材を取り付けるための水切取付部を有していることを特徴とする。
【０００９】
本発明によれば、外壁面材と壁支持部材との間に止水部材が挟み込まれているため、外壁面材と壁支持部材との間が止水部材によって塞がれている。これにより、強風を伴う降雨がある場合でも、雨水が外壁面材と壁支持部材との間を通じて建物内へ吹き込むのを阻止することができる。また、この止水部材の水切取付部に対して水切部材が取り付けられているため、止水部材を水切部材の下地として兼用することができる。そのため、水切部材を取り付けるための下地材を別途設ける必要がなくなる。よって、この場合、部品点数の増大を抑制しながら、建物内への雨水の吹き込みを阻止することができる。
【００１０】
第２の発明の建物の止水構造は、第１の発明において、前記壁支持部材は、前記Ｌ字状に屈曲された金属板により形成されており、前記止水部材は、前記横板部と前記外壁面材の下端面との間に挟み込まれる止水横板部と、前記縦板部と前記外壁面材の裏面との間に挟み込まれる止水縦板部とを有し、前記壁支持部材よりも厚みの小さい金属板により屈曲形成されていることを特徴とする。
【００１１】
本発明によれば、止水部材において止水横板部が壁支持部材の横板部と外壁面材の下端面との間に挟み込まれ、かつ、止水縦板部が壁支持部材の縦板部と外壁面材の裏面との間に挟み込まれているため、外壁面材の下端面側及び裏面側の双方で止水を行うことができる。これにより、建物内への雨水の吹き込みを確実に阻止することができる。
【００１２】
また、このように止水部材が外壁面材の下端面及び裏面に跨がって配設される構成にあって、止水部材の厚みは壁支持部材の厚みよりも小さくなっているため、止水横板部と止水縦板部との間の屈曲部の曲げ半径（曲げＲ）を壁支持部材における横板部と縦板部との間の屈曲部の曲げ半径よりも小さくすることができる。そのため、外壁面材の裏面下端の角部が止水部材の屈曲部上に載って外壁面材と止水部材との間に隙間が生じる不都合を生じにくくすることができ、その結果建物内への雨水の吹き込みを好適に阻止することが可能となる。
【００１３】
第３の発明の建物の止水構造は、第１又は第２の発明において、前記外壁面材は、上下に延びる複数の中空部を有しており、前記止水部材は、前記横板部と前記外壁面材の下端面との間に挟み込まれる止水横板部と、前記横板部よりも屋外側で前記止水横板部から下方に延びる前記水切取付部とを有しており、前記止水横板部は、その屋外側の端部が前記外壁面材の厚み方向において前記中空部の中間部と同位置に位置していることを特徴とする。
【００１４】
外壁面材には、その内部に上下に延びる複数の中空部を有するものがある。本発明では、止水部材に、かかる外壁面材の下端面と壁支持部材の横板部との間に挟み込まれる止水横板部が設けられており、その止水横板部の屋外側の端部が外壁面材の厚み方向において中空部の中間部と同位置に設定されている。この場合、外壁面材下に止水横板部が配設される構成にあって中空部の少なくとも一部が下向きに開放されるため、仮に中空部に雨水等の水が入り込んだとしてもその水を中空部から下方に排出することができる。そのため、中空部に水が滞留するのを回避することができ、その結果滞留した水が腐食して異臭が発生する等の不都合が生じるのを防止することができる。
【００１５】
ここで、止水横板部の屋外側端部を中空部よりも屋内側に設定することによっても、中空部を下向き開放させることができるため、中空部に水が滞留するのを回避することができ、その結果滞留した水により生じうる上述の不都合を防止することはできる。但しその場合、外壁面材の下端面と横板部との間で挟み込まれる止水横板部の挟み込み代を十分に確保することが困難となるため、止水横板部による止水機能を十分に発揮させることが困難となるおそれがある。その点、止水横板部の屋外側端部を中空部の中間部と同位置に設定した本発明によれば、比較的大きな挟み込み代を確保することができ、その結果止水機能を好適に発揮しながら、中空部における水の滞留に伴う上記不都合を回避することができる。
【００１６】
第４の発明の建物の止水構造は、第３の発明において、前記水切取付部は、前記止水部材の長手方向に沿って延びており、前記水切部材は、前記水切取付部の屋外側に当該水切取付部の長手方向に沿って所定の間隔で取り付けられた複数のブラケットと、それらブラケットに跨がる長尺状をなし、各ブラケットに対して着脱可能に取り付けられた水切本体とを有して構成され、前記水切本体は、前記水切取付部から屋外側に離間した位置で前記ブラケットに取り付けられることを特徴とする。
【００１７】
本発明によれば、水切部材において、ブラケットが水切取付部の屋外側に当該水切取付部の長手方向に沿って所定の間隔で取り付けられ、それら各ブラケットに跨がって水切本体が着脱可能に取り付けられている。この場合、水切本体は、水切取付部から屋外側に離間した状態でブラケットに取り付けられるため、水切本体と水切取付部との間には所定の隙間が形成される。そのため、中空部から下方へ排出された水をその隙間を通じて水切下側へ導くことが可能となる。これにより、水切取付部に対して水切部材を取り付ける構成にあって、中空部から排出された水が水切部材上に滞まるのを抑制することができ、その結果溜まった水が腐食して異臭が発生する等の不都合を生じにくくすることができる。
【００１８】
第５の発明の建物の止水構造は、第１乃至第４のいずれかの発明において、前記外壁面材は、上下方向に延びる複数の中空部を有しており、前記水切部材は、前記中空部の下方に設けられ、当該水切部材の下面を形成する下面板部を有しており、前記下面板部には、前記中空部から流下した水を当該下面板部の下方へ導く排水孔が形成されていることを特徴とする。
【００１９】
本発明によれば、水切部材において中空部の下方に設けられる下面板部に排水孔が形成されているため、中空部から下方に排出され下面板部上に落ちた水をその排水孔を通じて下面板部の下方すなわち屋外に排出することができる。これにより、下面板部上に水が滞留するのを回避することができ、その結果滞留した水が腐食して異臭が発生する等の不都合を防止することができる。
【００２０】
第６の発明の建物の止水構造は、第１乃至第５のいずれかの発明において、基礎の上には、前記壁支持部材を下方から支持する基礎上部材が設けられており、前記止水部材は、前記横板部と前記外壁面材の下端面との間に挟み込まれる止水横板部と、前記横板部よりも屋外側で前記止水横板部から下方に延びる前記水切取付部とを有しており、前記水切取付部は、前記基礎上部材に対して屋外側から当接した状態で配置されていることを特徴とする。
【００２１】
本発明によれば、基礎上に設けられて壁支持部材を下方から支持する基礎上部材に対して水切取付部が屋外側から当接した状態で配置されているため、水切取付部が屋内側（基礎上部材側）に撓むことが規制されている。これにより、強風時等に水切取付部がばたつくのを抑制することができ、ひいては水切取付部に取り付けられた水切部材のばたつきを抑制することができる。
【００２２】
特に、止水部材（ひいては水切取付部）の厚みが壁支持部材の厚みよりも小さくなっている上記第２の発明では、水切取付部の撓みが生じ易くなっていると考えられるため、上記第２の発明に本発明を適用すれば、水切取付部ひいては水切部材のばたつきを好適に抑制することができる。
【図面の簡単な説明】
【００２３】
【図１】建物の外壁下部周辺の構成を示す縦断面図。
【図２】止水役物を示す縦断面図。
【図３】水切部材の構成を示す分解縦断面図。
【発明を実施するための形態】
【００２４】
以下に、本発明を具体化した一実施の形態について図面を参照しつつ説明する。本実施形態では、建物が鉄骨軸組工法により構築された二階建ての建物となっている。図１は建物の外壁下部周辺の構成を示す縦断面図である。
【００２５】
図１に示すように、住宅等の建物１０において、基礎１１の立ち上がり部上１１ａには、矩形平板状の基礎上プレート１３がアンカーボルト１４により固定されている。基礎上プレート１３は、基礎１１の長手方向に沿って所定の間隔で複数配置されている。これら各基礎上プレート１３上には、長尺平板状の床支持プレート１６が架け渡されて設けられている。床支持プレート１６は、基礎上プレート１３から屋内側（床下側）にはみ出した状態で設けられ、各基礎上プレート１３に対してボルト１７により固定されている。
【００２６】
床支持プレート１６（詳しくはその上記はみ出し部分）上にはＡＬＣ床２１が設けられている。ＡＬＣ床２１の上には、ポリエチレンフォーム等からなる床下断熱材２２が敷設され、床下断熱材２２の上には、パーティクルボードからなる床下地材２３が敷設されている。床下断熱材２２と床下地材２３とはＡＬＣ床２１よりも屋外側にはみ出した状態で敷設されている。また、床下地材２３の上には、フローリングからなる床仕上げ材２４が敷設されている。この床仕上げ材２４によって居室２５の床面が形成されている。
【００２７】
基礎上プレート１３上において床支持プレート１６よりも屋外側にはスペーサ１８が固定されている。スペーサ１８は、断面コ字状の鋼板よりなり、各基礎上プレート１３ごとにそれぞれ設けられている。スペーサ１８は、その溝開口を上側に向けた状態で、かつ基礎上プレート１３から屋外側にはみ出した状態で同プレート１３の上面に溶接により固定されている。なお、スペーサ１８が基礎上部材に相当する。
【００２８】
それら各スペーサ１８上には、長尺状の床支持部材１９が架け渡されて設けられている。床支持部材１９は、上下に延びる鋼板からなり、その下端部が各スペーサ１８にそれぞれ溶接により固定され、その上端部により床下断熱材２２（詳しくは床下断熱材２２におけるＡＬＣ床２１からのはみ出し部）を下方から支持している。
【００２９】
床支持部材１９よりも屋外側では、長尺状の壁支持部材３３が各スペーサ１８上に架け渡されて設けられている。壁支持部材３３は、後述する外壁面材２９を下方から支持する支持部材であり、その支持強度を確保すべく、比較的厚みの大きい鋼板により形成されている。壁支持部材３３は、断面Ｌ字状をなしており、各スペーサ１８の上端部に架け渡されて当該上端部に溶接により固定された横板部３３ａと、横板部３３ａの屋内側端部（床下側端部）から上方に向けて延びる縦板部３３ｂとを有する。縦板部３３ｂは、その上下幅（短手方向の長さ）が横板部３３ａの横幅（短手方向の長さ）と比べて十分に大きくなっている。
【００３０】
壁支持部材３３の横板部３３ａ上には外壁面材２９が設けられている。外壁面材２９は、その下端面が横板部３３ａ上に載置され、裏面が縦板部３３ｂと対向している。外壁面材２９は、窯業系サイディングにより構成されたいわゆる重厚外壁となっており、その内部に上下方向全域に亘って延びる複数の中空部２９ａを有している。これらの中空部２９ａは、外壁面材２９の幅方向に沿って所定の間隔（等間隔）で配置されている。また、外壁面材２９は、基礎１１の立ち上がり部１１ａよりも屋外側に配置されている。
【００３１】
外壁面材２９は、壁支持部材３３に対して固定金具３５を介して固定されている。固定金具３５は、段曲げ形成された鋼板よりなり、外壁面材２９の裏面に固定された固定板部３５ａと、その固定板部３５ａと段曲げ部（段差部）を介して接続された段差板部３５ｂとを有する。固定板部３５ａは、外壁面材２９の中空部２９ａに配設された板ナット３６にボルト３７を当該固定板部３５ａと外壁面材２９とを介して締結することにより固定されている。詳しくは、ボルト３７は、固定板部３５ａに形成された孔部３８と、外壁面材２９に形成された孔部３９とにそれぞれ挿通され、その挿通状態で板ナット３６のねじ孔３６ａに締結されている。
【００３２】
段差板部３５ｂは、固定板部３５ａに対して下側に配置されており、外壁面材２９の裏面との間に所定の隙間を形成している。この隙間には、壁支持部材３３の縦板部３３ｂが下方から入り込んでいる。この縦板部３３ｂの入り込み状態において、上記のボルト３７が板ナット３６に締め付けられることで、縦板部３３ｂが段差板部３５ｂと外壁面材２９の裏面との間に挟み込まれており、その挟み込みによって外壁面材２９が当該縦板部３３ｂひいては壁支持部材３３に固定されている。
【００３３】
また、上記のように外壁面材２９が壁支持部材３３（横板部３３ａ）上に載置される構成にあって、横板部３３ａはその屋外側端部が外壁面材２９の壁厚み方向（以下、単に壁厚み方向という）において中空部２９ａの中間部と同位置に位置しており、詳しくは中空部２９ａの中央部よりも屋内寄りに位置している。これにより、横板部３３ａ上に外壁面材２９が載置される構成にあって、横板部３３ａにより中空部２９ａ全体が塞がれてしまうことが回避されている。
【００３４】
図示は省略するが、外壁面材２９は、一階部分と二階部分とにそれぞれ配設され、一階部分の外壁面材２９と二階部分の外壁面材２９との間には目地（横目地）が形成されている。この目地には、当該目地を通じて屋外側から雨水等の水が入り込むのを防止すべく、止水シールＳ（一次止水シール）が施されている。
【００３５】
外壁面材２９の屋内側には、居室２５の壁面を形成する内壁面材３１が設けられている。内壁面材３１は、石膏ボードにより構成され、図示しない壁下地材により背面側から支持されている。また、内壁面材３１の下縁部には巾木３２が取り付けられている。なお、外壁面材２９と内壁面材３１とを含んで外壁部が構成され、その外壁部により居室２５と屋外とが仕切られている。
【００３６】
ここで、本建物１０には、外壁面材２９と壁支持部材３３との間を通じた雨水の吹き込みを阻止すべく止水構造が設けられている。以下、この止水構造について図１に加えて図２を参照しながら説明する。なお、図２は止水役物４０を示す縦断面図である。
【００３７】
外壁面材２９と壁支持部材３３との間には、止水部材としての止水役物４０がそれら両部材２９，３３の間で挟み込まれた状態で設けられている。止水役物４０は、図１及び図２に示すように、耐水性に優れた鋼板により折り曲げ形成されており、その厚みが壁支持部材３３よりも小さくなっている。止水役物４０は、外壁面材２９の幅方向に沿った長尺状に形成されており、その横断面形状が止水役物４０の長手方向全域に亘って同じとされている。また、止水役物４０の厚みは、詳しくは壁支持部材３３の厚みの半分以下、より詳しくは壁支持部材３３の厚みの１／３以下となっている。
【００３８】
止水役物４０は、外壁面材２９の裏面と壁支持部材３３の縦板部３３ｂとの間に挟み込まれた上側縦板部４０ａと、上側縦板部４０ａの下端部から屋外側に向けて延び外壁面材２９の下端面と壁支持部材３３の横板部３３ａとの間に挟み込まれた横板部４０ｂと、横板部４０ｂの屋外側端部から下方に向けて延びる下側縦板部４０ｃとを有する。なお、上側縦板部４０ａが止水縦板部に相当し、横板部４０ｂが止水横板部に相当し、下側縦板部４０ｃが水切取付部に相当する。
【００３９】
上側縦板部４０ａは、縦板部３３ｂの上端部から上方に一部はみ出した状態で、当該縦板部３３ｂと外壁面材２９との間に挟み込まれている。上側縦板部４０ａは、ボルト３７の締め付けにより固定金具３５の段差板部３５ｂが縦板部３３ｂを外壁面材２９側に押し付ける押し付けの力によって、縦板部３３ｂと外壁面材２９の裏面との間で挟み込まれている。
【００４０】
横板部４０ｂは、外壁面材２９の下端面と横板部３３ａの上面との間で外壁面材２９の自重により挟み込まれている。横板部４０ｂは、その屋外側の端部が壁厚み方向において中空部２９ａの中間部と同位置に位置しており、詳しくは中空部２９ａの中央部よりも屋内寄りに位置している。また、横板部４０ｂの屋外側端部は横板部３３ａの屋外側端部と壁厚み方向においてほぼ同位置に位置している。この場合、横板部４０ｂが外壁面材２９の下端面に配設される構成にあって、中空部２９ａの一部が下向きに開放されており、中空部２９ａ全体が塞がれてしまうことが回避されている。これにより、上下に隣接する外壁面材２９間の目地（横目地）に配設された止水シールＳが劣化等して、雨水等の水が目地を通って中空部２９ａに入り込んだとしても、その入り込んだ水を中空部２９ａから下方へ排出することが可能となっている。
【００４１】
下側縦板部４０ｃは、各スペーサ１８に対して屋外側から当接された状態で配置されており、それらスペーサ１８よりも下方へと延びている。下側縦板部４０ｃの屋外側面には、水切部材４５が取り付けられている。水切部材４５は、外壁面材２９の屋外面（外壁面）に沿って流下する雨水を基礎１１の立ち上がり部１１ａよりも屋外側へと導くものである。以下、この水切部材４５について図１に加え図３を用いながら説明する。なお、図３は水切部材４５の構成を示す分解縦断面図である。
【００４２】
水切部材４５は、外壁面材２９の下方に設けられており、外壁面材２９の幅方向に沿って長尺状に延びている。水切部材４５は、図３に示すように、止水役物４０の下側縦板部４０ｃに取り付けられたブラケット４６と、そのブラケット４６に対して着脱可能に取り付けられた水切本体４７とを有して構成される。
【００４３】
ブラケット４６は、アルミニウム製の押し出し成型品よりなり、止水役物４０の長手方向に沿って所定の間隔で複数配置されている。ブラケット４６は、下側縦板部４０ｃの屋外側面にビス４８により取り付けられた取付板部５１と、その取付板部５１から屋外側に向けて延びる上下一対の水切支持部５２とを有する。
【００４４】
取付板部５１は、上下方向に延びており、その上端部には外壁面材２９の下端面に当接される断面Ｌ字状の当接部５３が設けられている。当接部５３は、取付板部５１の上端部から屋外側に延びる横辺部５３ａと、横辺部５３ａの屋外側端部から上方に延びる縦辺部５３ｂとを有している。縦辺部５３ｂの上端部は外壁面材２９の下端面に当接されており、その当接によってブラケット４６の上下方向の位置決めがされている。また、横辺部５３ａは外壁面材２９の中空部２９ａよりも（若干）屋外側へ延びており、それにより縦辺部５３ｂが中空部２９ａよりも屋外側に位置している。この場合、縦辺部５３ｂの上端部が中空部２９ａに入り込むことなく確実に外壁面材２９の下端面に当接される。
【００４５】
水切支持部５２は、水切本体４７を着脱可能に支持するものである。水切支持部５２は、その先端部に水切本体４７に対して係合可能な係合部５２ａを有している。
【００４６】
水切本体４７は、アルミニウム製の押し出し成型品よりなり、外壁面材２９の幅方向に沿って長尺状に形成されている。水切本体４７は、上下方向に延びる水切板部５５を有している。水切板部５５は、基礎１１の立ち上がり部１１ａの天端と外壁面材２９の下端面との間の隙間を屋外側から覆い隠すことが可能な上下寸法を有している。詳しくは、水切板部５５は、鉛直板部５５ａと、鉛直板部５５ａの上端部から背後側（床下側）へ上方傾斜して延びる傾斜板部５５ｂとからなる。
【００４７】
水切板部５５（詳しくは鉛直板部５５ａ）には、その背面側に延びる上下一対の被支持部５６が設けられている。これら各被支持部５６は、その先端部にブラケット４６の水切支持部５２の係合部５２ａと係合可能な被係合部５６ａを有している。各被支持部５６の被係合部５６ａはそれぞれブラケット４６の各水切支持部５２の係合部５２ａと係合しており、その係合によって水切本体４７がブラケット４６に対して着脱可能に取り付けられている。
【００４８】
また、水切本体４７がブラケット４６に取り付けられた状態では、水切本体４７の各被支持部５６（詳しくはその端部）と止水役物４０の下側縦板部４０ｃとが屋内外方向に互いに離間している。そのため、それら両部材４７，４０ｃの間には所定の隙間６３が形成されている。この隙間６３は、水切本体４７の長手方向に沿って延びており、外壁面材２９の各中空部２９ａの真下に位置している。これにより、中空部２９ａに入り込んだ水が中空部２９ａから下方へ排出されると、その水はこの隙間６３を通じて下方へと導かれる。
【００４９】
水切板部５５において被支持部５６よりも下方にはその背面側へ延びる下面板部５７が設けられている。下面板部５７は、外壁面材２９よりも背面側（床下側）へ延びており、その先端部と基礎１１の立ち上がり部１１ａとの間には床下換気が行える程度の隙間が形成されている。また、下面板部５７の上面には、防鼠板５８を取り付けるための防鼠板取付部５９が設けられている。防鼠板５８は、上記の隙間を上方から覆うようにして防鼠板取付部５９に取り付けられている。なお、図示は省略するが、防鼠板５８には複数の通気孔が形成されている。
【００５０】
下面板部５７には、厚み方向に貫通する複数の排水孔６１が形成されている。これら各排水孔６１は下面板部５７の長手方向に沿って所定の間隔（詳しくは等間隔）で形成されている。これにより、中空部２９ａから下方へ排出された水が上記の隙間６３を通じて下方へ導かれると、その水は下面板部５７上に落ち、その後排水孔６１を通じて屋外へと排出される。
【００５１】
また、各排水孔６１はそれぞれ、外壁面材２９の中空部２９ａの真下位置に配置されている。この場合、中空部２９ａから下方へ排出される水を排水孔６１へ導き易くすることができる。また、詳しくは、排水孔６１は、各中空部２９ａの真下にそれぞれ形成されているわけではなく、複数の中空部２９ａにおいて所定個数おき（例えば５個おき）に中空部２９ａの真下に排水孔６１が形成されている。但し、排水孔６１を各中空部２９ａの真下にそれぞれ形成してもよい。
【００５２】
次に、止水役物４０の作用について説明する。
【００５３】
強風を伴う降雨がある場合には、雨水が水切本体４７（詳しくは水切板部５５）の上端部と外壁面材２９の下端面との間を通じて水切裏側へと吹き込み、その後壁支持部材３３と外壁面材２９との間を通じて建物１０内へと吹き込むことが懸念される。この点本実施形態では、外壁面材２９と壁支持部材３３との間に止水役物４０が挟み込まれているため、それら両部材２９，３３の間が止水役物４０によって塞がれている。そのため、雨水がそれら両部材２９，３３の間を通じて建物１０内へ吹き込むのを阻止することができる。
【００５４】
以上、詳述した本実施形態の構成によれば、以下の優れた効果が得られる。
【００５５】
止水役物４０に、水切部材４５を取り付けるための下側縦板部４０ｃを設けたため、止水役物４０を水切部材４５を取り付けるための下地として兼用することができる。これにより、水切部材４５を取り付けるための下地材を別途設ける必要がなくなるため、部品点数の増大を抑制しながら、建物１０内への雨水の吹き込みを阻止することができる。
【００５６】
止水役物４０に、壁支持部材３３の横板部３３ａと外壁面材２９の下端面との間に挟み込まれる横板部４０ｂと、壁支持部材３３の縦板部３３ｂと外壁面材２９の裏面との間に挟み込まれる上側縦板部４０ａとを設けたため、外壁面材２９の下端面側及び裏面側の双方で止水を行うことができる。これにより、建物１０内への雨水の吹き込みを確実に阻止することができる。
【００５７】
また、このように止水役物４０を外壁面材２９の下端面側及び裏面側の双方に跨がって配設した構成にあって、止水役物４０の厚みを壁支持部材３３の厚みよりも小さくしたため、止水役物４０における横板部４０ｂと上側縦板部４０ａとの間の屈曲部の曲げ半径（曲げＲ）を、壁支持部材３３における横板部３３ａと縦板部３３ｂとの間の曲げ半径よりも小さくすることができる。そのため、外壁面材２９の裏面下端の角部が止水役物４０の屈曲部上に載って外壁面材２９と止水役物４０との間に隙間が生じる不都合を生じにくくすることができ、その結果建物１０内への雨水の吹き込みを好適に阻止することが可能となる。
【００５８】
横板部４０ｂの屋外側端部を、壁厚み方向において中空部２９ａの中間部と同位置に設定したため、外壁面材２９下に横板部４０ｂが配設される構成にあって、中空部２９ａの少なくとも一部が下向きに開放される。これにより、仮に中空部２９ａに雨水等の水が入り込んだとしてもその水を中空部２９ａから下方に排出することができるため、中空部２９ａに水が滞留するのを回避することができ、その結果滞留した水が腐食して異臭が発生する等の不都合が発生するのを防止することができる。
【００５９】
ここで、横板部４０ｂの屋外側端部を中空部２９ａよりも屋内側に設定することによっても上述の効果を得ることはできるが、その場合、横板部３３ａと外壁面材２９の下端面との間に挟み込まれる横板部４０ｂの挟み込み代を十分に確保することが困難となるため、横板部４０ｂによる止水機能を十分に発揮させることが難しくなるおそれがある。その点、横板部４０ｂの屋外側端部を中空部２９ａの中間部と同位置に設定した上述の構成によれば、比較的大きな挟み込み代を確保することが可能となり、その結果止水機能を好適に発揮しながら、中空部２９ａにおける水の滞留に伴う上記不都合を回避できる。
【００６０】
また、横板部４０ｂの屋外側端部を、壁厚み方向において中空部２９ａの中間部と同位置に設定し、その屋外側端部から下方に延びるように下側縦板部４０ｃを設けたため、中空部２９ａから下方に排出された水が基礎１１の立ち上がり部１１ａ上へ、ひいては床下へ流れ込むのを防止することができる。これにより、床下の湿気が溜まって床材の腐食を促進させるといった不都合を招いてしまうのを防止することができる。
【００６１】
水切部材４５を、下側縦板部４０ｃの屋外側面に所定間隔で取り付けた短尺状のブラケット４６と、そのブラケット４６に着脱可能に取り付けた長尺状の水切本体４７とを有して構成し、水切本体４７を下側縦板部４０ｃから屋外側に離間させた状態でブラケット４６に取り付けるようにした。この場合、下側縦板部４０ｃと水切本体４７との間に所定の隙間６３が形成されるため、中空部２９ａから下方へ排出される水をその隙間６３を通じて下方へ導くことが可能となる。そのため、水切部材４５を下側縦板部４０ｃに取り付ける構成にあって、中空部２９ａから排出される水が水切部材４５上（例えば下側縦板部４０ｃに対する水切部材４５の取付部周辺など）に溜まってしまうのを抑制することができ、ひいては溜まった水が腐食して異臭が発生する等の不都合を生じにくくすることができる。
【００６２】
また、上記の隙間６３は中空部２９ａの真下に位置しているため、中空部２９ａから下方に排出された水を円滑に隙間６３を通じて水切下側に導くことができる。そのため、水切部材４５上に水が溜まってしまうのをより確実に抑制することができ、溜まった水により生じうる上述の不都合をより確実に防止することができる。
【００６３】
水切本体４７の下面を形成する下面板部５７に排水孔６１を設けたため、中空部２９ａから下方に排出され下面板部５７上に落ちた水を排水孔６１を通じて下面板部５７の下方つまり屋外に排出することができる。これにより、下面板部５７上に水が滞留するのを回避することができ、その結果滞留した水が腐食して異臭が発生する等の不都合を防止することができる。
【００６４】
基礎１１の立ち上がり部１１ａ上に、壁支持部材３３を下方から支持するスペーサ１８を設け、下側縦板部４０ｃをそのスペーサ１８に対して屋外側から当接させた状態で配置した。この場合、下側縦板部４０ｃが屋内側（スペーサ１８側）へ撓むことが規制されるため、強風時等において下側縦板部４０ｃがばたつくのを抑制することができ、ひいては同板部４０ｃに取り付けられた水切部材４５のばたつきを抑制することができる。特に、下側縦板部４０ｃ（止水役物４０）はその厚みが壁支持部材３３の厚みよりも小さくなっているため撓みが生じ易くなっていると考えられ、その点を鑑みてもかかる構成を採用することの意義は大きいといえる。
【００６５】
本発明は上記実施形態に限らず、例えば次のように実施されてもよい。
【００６６】
（１）上記実施形態では、止水役物４０に、壁支持部材３３と外壁面材２９との間に挟み込まれる止水板部として上側縦板部４０ａ及び横板部４０ｂを設けたが、これら各板部４０ａ，４０ｂのうち上側縦板部４０ａを設けないようにしてもよい。その場合でも、外壁面材２９の下端面と壁支持部材３３の横板部３３ａとの間を塞ぐことができるため、外壁面材２９と壁支持部材３３との間を通じて雨水が建物１０内へ吹き込むのを阻止することができる。
【００６７】
（２）上記実施形態では、横板部４０ｂの屋外側端部を、壁厚み方向において中空部２９ａの中間部と同位置に設定したが、これを変更して、中空部２９ａよりも屋内側に設定してもよい。その場合でも、中空部２９ａが下向きに開放されるため、中空部２９ａに入り込んだ水を中空部２９ａから下方へ排出することができる。但し、外壁面材２９の下端面と横板部３３ａとの間における横板部４０ｂの挟み込み代を十分に確保する観点からすると、横板部４０ｂの屋外側端部を中空部２９ａの中間部と同位置に設定することが望ましい。
【００６８】
また、横板部４０ｂの屋外側端部を中空部２９ａよりも屋外側に設定してもよい。その場合でも、横板部４０ｂに中空部２９ａを下向きに開放させる排水孔を形成すれば、その排水孔を通じて中空部２９ａから下方へ水を排出することができる。但し、その場合、中空部２９ａから排出される水が下側縦板部４０ｃの裏側に回り込むことになるため、その水が基礎１１の立ち上がり部１１ａ上を経由して床下へ入り込むことが懸念される。その点を鑑みると、横板部４０ｂの屋外側端部を中空部２９ａの中間部と同位置に設定することが望ましい。
【００６９】
（３）上記実施形態では、水切本体４７の下面板部５７において排水孔６１を中空部２９ａの真下位置に設けたが、排水孔６１を中空部２９ａの真下位置とは異なる位置に設けてもよい。この場合でも、中空部２９ａから下面板部５７上に排出される水を排水孔６１を通じて水切下に排出することが可能である。
【００７０】
また、下面板部５７に排水孔６１を設けないようにしてもよい。この場合でも、中空部２９ａから下面板部５７上に排出される水を隣り合う水切本体４７（下面板部５７）の間の隙間を通じて水切下に排出することが可能である。
【００７１】
（４）上記実施形態では、水切部材４５において、ブラケット４６を下側縦板部４０ｃに取り付け、そのブラケット４６に水切本体４７を取り付けるようにした。すなわち、水切本体４７を下側縦板部４０ｃにブラケット４６を介して取り付けるようにしたが、これを変更して、水切本体を下側縦板部４０ｃに直接ビス等で取り付けるようにしてもよい。なお、その場合、水切本体が水切部材に相当する。
【００７２】
（５）上記実施形態では、内部に中空部２９ａを有する窯業系サイディングからなる重厚外壁（外壁面材２９）に本発明の止水構造を適用したが、中空部２９ａを有しない重厚外壁に本発明を適用してもよい。また、ＡＬＣからなる外壁面材等、窯業系サイディング以外の外壁面材に本発明を適用してもよい。例えばＡＬＣからなる外壁面材は、その厚みが比較的大きいため、Ｌ字型の壁支持部材による壁支持構造が採用されることが想定され、その場合本発明の止水構造を適用することが可能となる。
【符号の説明】
【００７３】
１０…建物、１１…基礎、１８…基礎上部材としてのスペーサ、２９…外壁面材、２９ａ…中空部、３３…壁支持部材、３３ａ…横板部、３３ｂ…縦板部、４０…止水部材としての止水役物、４０ａ…止水縦板部としての上側縦板部、４０ｂ…止水横板部としての横板部、４０ｃ…水切取付部としての下側縦板部、４５…水切部材、４６…ブラケット、４７…水切本体、５７…下面板部、６１…排水孔。
【図１】
2015094142.tif 000003
【図２】
2015094142.tif 000004
【図３】
2015094142.tif 000005